(57)【要約】【課題】設置面が傾斜していても支柱に対してパネルの施工が容易となされたフェンスを提供する。【解決手段】支柱１間に、縦桟３と横桟４とを交差させたパネル２が取付けられ、前記支柱１はその前面に回動可能に取付けられた係止部材８１によって係止溝８が設けられ、前記係止部材８１を回動させることによって、前記係止溝８はその開口の向きを真上に向けた方向のみならず、左右斜め上方に向けた方向にも向けることができるようになされ、前記パネル２は、縦桟３と横桟４との交差部２１において交差角度が変更可能となされ、かつ、前記横桟４に取付けられた取付部材７の挿入部７６を前記係止溝８に挿入することにより、支柱１に横桟４を長手方向に傾斜させて取付けることができる。【選択図】  図１
2015068027.tif 000002
【特許請求の範囲】
【請求項１】
間隔をおいて立設された支柱間に、複数の縦桟と横桟とを交差させたパネルが取付けられ、前記支柱はその前面に回動可能に取付けられた係止部材によって係止溝が設けられ、前記係止部材を回動させることによって、前記係止溝はその開口の向きを真上に向けた方向のみならず、左右斜め上方に向けた方向にも向けることができるようになされ、前記パネルは、縦桟と横桟との交差部において交差角度が変更可能となされ、かつ、前記横桟に取付けられた取付部材の挿入部を前記係止溝に挿入することにより、支柱に横桟を長手方向に傾斜させて取付けることができるようになされていることを特徴とするフェンス。
【発明の詳細な説明】
【技術分野】
【０００１】
本発明は、敷地境界部や隣地境界部に設けられるフェンスにおいて、支柱の前面側にパネルが取付けられたフェンスに関する。
【背景技術】
【０００２】
一般に、道路と敷地の境界、敷地同士の境界等を仕切るために、その境界部に沿ってフェンスが取付けられている。前記フェンスは、通常、境界に沿って立設された支柱間にパネルが取付けられたものであり、支柱の側面間に該支柱とパネルとが略同一面上に取付けられる、いわゆる固定柱タイプと、支柱の前面側にパネルが取付けられる、いわゆる自由柱タイプとがある。
【０００３】
前記フェンスにおいては、設置面が平坦又は水平な箇所ばかりではないので、傾斜地に設置する場合や、斜度が変化する設置面に取付ける場合は、パネルの縦桟と横桟とを回動可能に接合し、縦桟と横桟との交差角度を傾斜に合わせる方法が採用されている。例えば、特許文献１には、平行をなす複数の横杆と、各横杆と交差する、平行をなす複数の縦杆との各交差部をそれぞれねじをもって締着したものよりなる任意の数の単位ユニットを、その適所を支柱にねじ止めしてなる組立式フェンスが開示されている。
【０００４】
また、本出願人においても、特許文献２に示すように、管状芯材に合成樹脂により被覆がなされた支柱と横木とからなり、適宜間隔をおいて立設された支柱間の上下に横木が架設され、この上下の横木に対して多数の縦棧の両端部付近が取付ボルトを介して軸着されて柵パネルが構成され、柵パネルの上下の横木相互と前記多数の縦棧相互がそれぞれ常に平行をなして、横木と縦棧の接続角度が可変なことによってこの柵パネルが傾斜地に立設された支柱間にも架設可能なことを特徴とする、傾斜地に設置自在な合成樹脂被覆擬木柵を開示している。
【先行技術文献】
【特許文献】
【０００５】
【特許文献１】実開平２−４５２５３号公報
【特許文献２】特開２０００−２８２７１８号公報
【発明の概要】
【発明が解決しようとする課題】
【０００６】
ところで、前記のような組立式フェンスにおいて、縦桟と横桟とを締着したねじ位置と支柱のねじ止め位置とを合わせるためには、縦桟と横桟とが回動可能に接合したパネルを支えながら支柱にパネルをねじ止めする必要があるため、施工が容易ではなかった。
【０００７】
本発明は、前記の如き問題点を解消し、設置面が傾斜していても支柱に対してパネルの施工が容易となされたフェンスを提供する。
【課題を解決するための手段】
【０００８】
上記目的を達成するために、本発明は次のような構成としている。
すなわちこの発明に係るフェンスは、間隔をおいて立設された支柱間に、複数の縦桟と横桟とを交差させたパネルが取付けられ、前記支柱はその前面に回動可能に取付けられた係止部材によって係止溝が設けられ、前記係止部材を回動させることによって、前記係止溝はその開口の向きを真上に向けた方向のみならず、左右斜め上方に向けた方向にも向けることができるようになされ、前記パネルは、縦桟と横桟との交差部において交差角度が変更可能となされ、かつ、前記横桟に取付けられた取付部材の挿入部を前記係止溝に挿入することにより、支柱に横桟を長手方向に傾斜させて取付けることができるようになされていることを特徴とするものである。
【発明の効果】
【０００９】
本発明によれば、傾斜面に設置する場合あっても、縦桟に対する横桟の交差角度を当該傾斜に合わせて変更してパネルの外形を略平行四辺形状に変形させ、それに合わせて係止溝の開口の向きも斜め上方に向けることによって、支柱間にパネルを仮止めすることが容易となり、施工性を高めることができる。
【図面の簡単な説明】
【００１０】
【図１】本発明に係るフェンスにおいて第１の実施形態を示す正面図である。
【図２】図１の支柱付近における拡大斜視図である。
【図３】図１横桟の連結部付近の説明図である。
【図４】図１の横桟付近の拡大側面図である。
【図５】図１の上部の横桟付近の説明図である。
【図６】本発明に係るフェンスにおいて、設置面が略水平である場合の設置方法の説明図である。
【図７】本発明に係るフェンスにおいて、設置面が略水平である場合の設置方法の説明図である。
【図８】本発明に係るフェンスにおいて、設置面が傾斜している場合の設置方法の説明図である。
【図９】本発明に係るフェンスにおいて、設置面が傾斜している場合の設置方法の説明図である。
【図１０】本発明に係るフェンスにおいて、設置面が傾斜している場合の設置方法の説明図である。
【発明を実施するための形態】
【００１１】
次に、本発明を実施するための最良の形態について図面を参照し、具体的に説明する。
【００１２】
図１は本発明に係るフェンスにおいて第一の実施形態を示す正面図である。支柱１は、その下部が設置面に埋設されて適宜間隔をおいて立設されており、支柱１間にパネル２が取付けられている。支柱１は一般に強度的に安定している鋼管が用いられるが、他の金属を用いてもよい。他の金属としては、アルミニウム合金、ステンレス合金等を挙げることができる。支柱１の断面形状は、一般には、本形態のように前面が平坦な角型形状の鋼管が好適に用いられるが、断面Ｈ字型でもよく、断面Ｔ字型でもよい。更に、支柱１の耐食性や耐候性を高めるために金属めっきや塗装が施されてもよい。尚、支柱１の前面とは、支柱１に対してパネル２が配置される面を前面としたものであり、実施例についてもその様に説明するが、本形態に係るフェンスＰが敷地境界部に設置される場合は、道路等に面した外側を前面としてもよく、また家屋側を前面としてもよい。
【００１３】
パネル２は、左右に間隔をおいて多数の縦桟３が配置され、上下に間隔をおいて横桟４が配置されると共に、該縦桟３と横桟４との交差部２１で連結具５を介して接合されている。縦桟３は、一般には強度的に安定しておりコストの安い鋼管が好適に用いられるが、他の金属を用いてもよく、例えば、ステンレス合金やアルミニウム合金を用いることができる。また耐食性や耐候性を高めるために縦桟３の表面に金属めっきや塗装が施されてもよい。隣り合う縦桟３のピッチは特に限定されるものではないが、フェンスＰを設置した時に、通行人等が横桟４に足を掛けてパネル２を容易に乗り越えないように、該縦桟３のピッチは靴が入りにくい方が好ましく、本形態では約５０ｍｍに設定している。
【００１４】
横桟４も、縦桟３と同様に、一般には強度的に安定しておりコストの安い鋼管が好適に用いられるが、他の金属を用いてもよく、例えば、ステンレス合金やアルミニウム合金を用いることができる。また耐食性や耐候性を高めるために横桟４の表面に金属めっきや塗装が施されてもよい。なお、横桟４は、本形態では、パネル２の上部と下部に二個配置されているが、この二個の横桟４の間に更に配置して三本の横桟４を配置したパネル２を用いてもよく、四本以上でもよい。
なおパネル２に木質感を現出させたい場合は、前記縦桟３又は横桟４の側周面に、木粉を配合した合成樹脂によって被覆してもよく、木目模様のシートを貼着してもよい。
【００１５】
図２は図１のパネルの説明図である。縦桟３及び横桟４の断面形状は、それぞれ角型形状に形成されており、その交差部２１において、その重合面を前後に貫通する後記のボルト５１やリベットなどからなる連結具５によって互いに連結されて、縦格子状のパネル２が形成されている。そして、パネル２は、図２の（ａ）に示す縦桟３と横桟４とが直交する状態から、縦桟３と横桟４との交差角度を変更して、図２の（ｂ）に示す縦桟３を垂直方向に配置し、かつ、横桟４を傾斜させた状態とすることができる。これにより、設置面の傾斜に合わせて前記交差角度を変更し、横桟４を傾斜面と平行になるように傾斜させ、かつ、縦桟３を垂直に配置することができる。また、本形態のような角型形状の鋼管を用いることによって、交差部２１の連結具５による接合が容易となり好ましい。縦桟３及び横桟４の断面形状は、角型形状に限定されるものではなく、多角形状の断面でもよく、円形状の断面でもよく、これらを組み合わせたものでもよい。多角形状の断面形としては、三角形、五角形、六角形等を挙げることができる。また円形状の断面形状としては、断面円形状でもよく、楕円形状でもよい。
【００１６】
パネル２同士の連結は、本形態では、図１、３に示すように、左右に隣り合う２個のパネル２の横桟４の側端において、それぞれに跨って横桟４に挿入したスリーブ６を介して連結されて連結部Ｒが形成されている。スリーブ６は、角型形状の横桟４の内形状に対応した上壁部６１と下壁部６２とこれらを接続する縦壁部６３とからなる断面コ字状に形成されたものである。そして、横桟４の上面、下面から、横桟４に挿入されたスリーブ６の対応する上壁部６１、下壁部６２に向けてビスＢ１を螺入して、スリーブ６と横桟４を締結することによって、横桟４同士がスリーブ６を介して連結される。
【００１７】
パネル２同士の連結の形態は特に限定されるものではなく、本形態のように横桟４内に挿入するスリーブを用いたものでもよく、横桟４を外側から覆う形態でもよい。前者のスリーブを用いる場合は、その断面形状が矩形状のものでもよい。また後者の場合は、断面コ字状の形態であって、その内側に横桟４の連結部Ｒが配置される形態でもよい。
【００１８】
次に、パネル２について、図４、５を参照して更に詳しく説明する。図４は図１の横桟付近の拡大側面図、図５は図１の上段の横桟付近の説明図である。縦桟３と横桟４とを備えて形成されるパネル２は、本形態では、横桟４が縦桟３より後方に配置され、前記横桟４の背面に取付部材７が取付けられ、該取付部材７が支柱１に取付けられている。取付部材７は、横桟４に固定される横桟固定部７１と、該横桟固定部７１から支柱１側に向けて突出する突出部７２を備えている。本形態では、横桟固定部７１の上端部から支柱１側に突出する上突出部７３が形成され、また横桟固定部７１の下端部からも支柱１側に突出する下突出部７４が形成されている。そして、かかる取付部材７は、横桟固定部７１、突出部７２である上突出部７３及び下突出部７４によって、支柱１に向けて開口する凹溝７５が形成されている。
【００１９】
取付部材７は、図４に示すように、固定具９としてのボルト９１を介して横桟４に取付けられており、該ボルト９１の頭部９２が凹溝７５内に配置されると共に、前記頭部９２の側部が凹溝７５の上突出部７３と下突出部７４とによって係止されている。これにより、ボルト９１にナット９３を締結する際にボルト９１の共回りを防いで、締結作業が容易になる。
【００２０】
上突出部７３の上方には横桟４と支柱１との間に隙間Ｓ１が左右方向に連続して形成されており、縦桟３と横桟４とを連結する連結具５としてのボルト５１の頭部５２が隙間Ｓ１内に配置されている。これにより、支柱１に対してパネル２の取付位置を左右方向に調整する場合でも、前記頭部５２と支柱１とが干渉しないので、パネル２の取付作業が容易となる。なお、下突出部７４の下方に形成された隙間Ｓ２に前記頭部５２を配置してもよく、更に、前記ボルト５１に螺着されるナット５３は縦桟３の前面側に配置されているが、これを横桟４側に配置して縦桟３と横桟４とを連結し、前記ナット５３を前記隙間Ｓ１、又は隙間Ｓ２に配置してもよい。
【００２１】
次に、支柱１に対するパネル２の取付構造について説明する。取付部材７は、本形態では、下突出部７４の先端部から垂下する挿入部７６が設けられている。一方、支柱１の前面には、係止溝８が設けられており、該係止溝８に前記挿入部７６を挿入することができるようになされている。そして、挿入部７６を支柱１の係止溝８に挿入することによって、前記取付部材７を支柱１に係止させるとともに、この取付部材７を介してパネル２を支柱１に仮置きし、また係止することができるようになされている。
【００２２】
係止溝８は、本形態では、支柱１と支柱１とは別体の係止部材８１とによって、その間に形成されるとともに、前記係止部材８１は支柱１の前面にビスＢ２によって回動可能に取付けられ、そして前記ビスＢ２を中心に、前記係止部材８１を回動させることによって、前記係止溝８はその開口の向きを真上に向けた方向のみならず、左斜め上方及びこれと逆の右斜め上方に向けた方向にも向けることができるようになされている。
係止部材８１は、支柱１に固定される支柱固定片８２と、前記支柱固定片８２の上部から前方に向けて屈曲されて更に途中で上方に向けて屈曲された張出壁部８３とを備えている。そして前記張出壁部８３と支柱１との間に該係止溝８が形成されている。
【００２３】
そして、係止部材８１の張出壁部８３の先端部、すなわち、係止溝８の外壁部の先端部が、下突出部７４の下方の隙間Ｓ２内に配置されている。これにより、正面視において、挿入部７６の下端が横桟４の下面よりも突出せずに、ほぼ面一とし、又はその上方に位置させておけば、挿入部７６が目立たなくなって好ましい。
【００２４】
なお、本形態では、別体で形成された取付部材７が横桟４に取付けられるようになされているので、取付部材７を横桟４に一体成形して、取付部材７を横桟４の長手方向全長に亘って設けた、いわゆる押出型材を使用する場合に比べると、本形態のような断面矩形状の単純な断面形状であっても、断面形状の変更が比較的難しい角形鋼管を用いる場合であっても、該横桟４を有するパネル２を支柱１に容易に仮置きすることができる。また取付部材７は必要な箇所のみに取付ければよいので、コスト低減を図り、パネル２自体の重量の増加を抑えることができる。
【００２５】
前記係止部材８１は、本形態では、ビスＢ２によって支柱１に取付けられ、そして係止部材８１と縦桟３との間は、側面視において接触しない十分な隙間が設けられているので、取付部材７の挿入部７６を前記係止溝８に挿入させた状態で、パネル２を左右方向に移動させても、不必要な干渉が起こらなくなって、好ましい。
【００２６】
取付部材７は、上突出部７３から上方に向けて固定片７７が設けられており、止め具８４を介して支柱１に固定されている。具体的には、上突出部７３の上方の隙間Ｓ１内に、止め具８４の先端部が挿入可能となされており、これにより、固定片７７が支柱１の前面側から離れない様になされている。
【００２７】
止め具８４は、本形態では、図４、５に示された係止部材８１を上下に反転させた下方に開口する溝形の形態であるので詳しい説明は省略するが、ビスＢ２を介して支柱１に取付けられており、ビスＢ２を締め付けることによって、パネル２を支柱１に強固に取付けることができる。
【００２８】
次に、支柱に対するパネルの取付方法について、まず、設置面が略水平な箇所、すなわち、支柱に横桟を長手方向に水平に設置する場合について、図５〜７を参照して説明する。
【００２９】
まず、図６に示すように、係止溝８が真上に向けて開口するようにビスＢ２を用いて支柱に係止部材８１を固定する。続いて、予めパネル２の横桟４に固定した取付部材７の挿入部７６を前記係止溝８に挿入する。これにより、図７に示すように、取付部材７を介して横桟４が支柱１に係止され、支柱１間にパネル２を仮止めすることができる。
次に、図５に示すように、ビスＢ２を用いて支柱１に止め具８４を仮止めし、続いて止め具８４の先端部を隙間Ｓ１に挿入して、ビスＢ２を増し締めして、支柱１に取付部材７の固定片７７を固定する。これにより、支柱１間にパネル２が取付けられる。
【００３０】
次に、支柱に対するパネルの取付方法について、設置面が傾斜している箇所、すなわち、支柱に横桟を長手方向に傾斜させて設置する場合について、図８〜１０を参照して説明する。
まず、図８に示すように、ビスＢ２を介して係止部材８１を支柱１に仮止めし、係止溝８の開口の向きを斜め上方に向け、その開口の向きが設置面の傾斜角度と略垂直になるように係止部材８１を回動させて、ビスＢ２を増し締めして支柱１に固定する。続いて、連結具５を調整して、パネル２の縦桟３と横桟４との交差角度を変更して、パネル２の縦桟３が支柱１と平行な略垂直に配置され、横桟４が前記設置面と平行となるように傾斜させ、該パネル２の取付部材７の挿入部７６を前記係止溝８に挿入する。これにより、図９に示すように、取付部材７を介して横桟４が支柱１に、長手方向に傾斜させて係止され、支柱１間にパネル２を仮止めすることができる。
次に、図１０に示すように、ビスＢ２を用いて支柱１に止め具８４を仮止めし、続いて止め具８４の先端部を隙間Ｓ１に挿入して、ビスＢ２を増し締めして、支柱１に取付部材７の固定片７７を固定する。これにより、支柱１間にパネル２が取付けられる。
【００３１】
前記取付方法については、施工に支障が生じない範囲でその手順を変更することができる。
【００３２】
本形態に係るフェンスＰにおいて、図５に示すように、取付部材７は、挿入部７６の左右両端に横桟４の背面側に向けて屈曲されて形成された屈曲部７８が設けられている。すなわち、前記取付部材７は、その左右の長さを係止部材８１よりも長くし、前記屈曲部７８が係止部材８１の左右端部よりも外方に位置するようにして形成されている。これにより、図１０に示すように、フェンスＰを傾斜面に取付ける場合に、係止部材８１で横桟４の取付部材７を係止していても、パネル２の自重により、左右いずれかの低い側に向けて取付部材７の挿入部７６が係止溝８内を滑って、取付部材７が係止部材８１から抜けてしまう可能性があるが、この屈曲部７８を設けることによって、上記のような滑りが生じても、該屈曲部７８が係止部材８１の端部、すなわち係止溝８の端部に対する当たりとなって、それ以上滑らずに、パネル２が外れる可能性は低くなる。また、屈曲部７８によって係止部材８１が滑り方向に押された場合に、係止部材８１は、ビスＢ２を軸として回動することによって、係止溝８の底面が挿入部７６の底面に当たって、それ以上、係止部材８１は回動しないようになされており、取付部材７が係止溝８から滑り抜けることを防ぐことができる。
【００３３】
本形態に係るフェンスＰにおいては、取付部材７の固定片７７の左右両端にも横桟４の背面側に向けて突出する屈曲部７８が設けられており、前記のように取付部材７が低い側に向けて滑った際、前記屈曲部７８が止め具８４への当たりとなって、それ以上は滑らずに、パネル２が外れる可能性は低くなる。また、屈曲部７８によって止め具８４が滑り方向に押された場合でも、取付部材７と止め具８４との間で生じる上記と同様な効果によって、パネル２が外れることを防ぐことができる。
【００３４】
前記屈曲部７８は、取付部材７の挿入部７６及び固定片７７それぞれの左右両端に設けられているが、少なくとも屈曲部７８は左右にひとつずつ設けられていれば、フェンスＰの設置場所が、左右のどちら方向に傾斜していても、取付部材７の滑り抜けを抑えて、パネル２が外れることを防ぐことができる。更に、本形態のように取付部材７が上下方向に反転させても取付け可能な形状であれば、前記屈曲部７８が少なくともひとつ設けられていれば、該屈曲部７８を傾斜地の高い方に配置することによって、取付部材７の滑り抜けを抑えて、パネル２が外れることを防ぐことができる。
【００３５】
取付部材７の形態は、本形態に限られるものではなく、図示しないが、例えば、表裏が平坦な縦板状としてもよい。この場合、その下端部を横桟４の下面よりも下方に張り出して係止溝６に挿入し、また、その上端部を横桟４の上面よりも上方に張り出して止め具８４で固定するようにして、該取付部材を支柱に係止させるのが好ましい。更に、連結具５及びボルト５１と支柱１が干渉しないように、連結具５及び固定具９の頭部が収納される凹部を設けるのが好ましい。
【００３６】
取付部材７の更に別の形態としては、図示しないが、横桟４の上面に固定される上固定片を有する側面視Ｌ字状の上取付部材と、横桟４の下面に固定される下固定片を有する側面視逆Ｌ字状の下取付部材とからなるようにしてもよい。この場合、下取付部材において下固定片を横桟４に固定して、他片を係止溝６に挿入し、また上取付部材において上固定片を横桟４に固定し、他片を止め具８４で固定するようにして、該取付部材を支柱１に固定するが好ましい。
【００３７】
本発明は、敷地境界部や隣地境界部に設けられるフェンスにおいて、特に設置面が傾斜している箇所に対して好適に利用することができる。
【符号の説明】
【００３８】
１    支柱
２    パネル
２１  交差部
３    縦桟
４    横桟
５    連結具
５１  ボルト
５２  頭部
５３  ナット
６    スリーブ
６１  上壁部
６２  下壁部
６３  縦壁部
７    取付部材
７１  横桟固定部
７２  突出部
７３  上突出部
７４  下突出部
７５  凹溝
７６  挿入部
７７  固定片
７８  屈曲部
８    係止溝
８１  係止部材
８２  支柱固定片
８３  張出壁部
８４  止め具
９    固定具
９１  ボルト
９２  頭部
９３  ナット
Ｂ１、Ｂ２  ビス
Ｐ    フェンス
Ｒ    連結部
Ｓ１、Ｓ２  隙間
【図１】
2015068027.tif 000003
【図２】
2015068027.tif 000004
【図３】
2015068027.tif 000005
【図４】
2015068027.tif 000006
【図５】
2015068027.tif 000007
【図６】
2015068027.tif 000008
【図７】
2015068027.tif 000009
【図８】
2015068027.tif 000010
【図９】
2015068027.tif 000011
【図１０】
2015068027.tif 000012